(57)【要約】【課題】強度に優れ、濡れた雑巾が障子紙に触れても、障子紙に汚れが付着することがない等の耐汚染性に優れ、また作業性に優れ、さらに、ロール状に巻き取った状態の障子紙を使用して、障子枠に貼り付けた場合にも、反りかえりが少なく、容易に貼り付けることができる障子紙を提供する。【解決手段】和紙などの紙基材の両面にポリエステル系接着剤などの接着剤から成る接着剤層を設け、該両面の接着剤層のそれぞれの表面に二軸延伸ポリプロピレンフィルムなどの延伸樹脂フィルムを積層して障子紙とする。【選択図】　なし【特許請求の範囲】
【請求項１】
紙基材の両面に接着剤層が設けられ、該両面の接着剤層のそれぞれの表面に延伸樹脂フィルムが積層されていることを特徴とする障子紙。
【請求項２】
延伸樹脂フィルムが二軸延伸ポリプロピレンフィルムである請求項１に記載の障子紙。
【請求項３】
接着剤層がポリエステル系接着剤から成る請求項１又は２に記載の障子紙。
【発明の詳細な説明】
【０００１】
【発明の属する技術分野】
本発明は、障子紙に関し、詳しくは強度及び耐汚染性に優れ、さらに作業性に優れた障子紙に関する。
【０００２】
【従来の技術】
従来、障子紙は、和紙などの通気性のある紙、不織布などが用いられており、障子により区切られた内外の緩やかな換気や、湿度調整を行う機能を有していた。
しかし、障子紙を障子に貼付させる糊剤を塗布する際に糊剤が垂れたり、糊剤を均一に塗布することが難しく、糊剤の塗布作業の効率が悪いという問題点や、和紙が糊剤などの湿気で湿ると障子紙を障子に貼着した後、障子紙の端部を揃える際にカッターなどで切り揃えることが難しく、作業性が悪いという問題点があった。
最近、障子は装飾的要素が重要視され、衝撃により破れにくい障子紙が提案されている。例えば、実開平５−７８５３９号公報には、和紙に不織布を貼着積層し、さらに不織布の裏側に樹脂フィルムの貼着積層した障子紙が記載されている。
しかしながら、この障子紙は、強度が十分でない問題点があった。さらに、表面の和紙に汚れが付き易いという問題点や、和紙の汚れを濡れ雑巾で拭くと、障子紙の表面から汚れによる染みができるという問題点があった。
【０００３】
【発明が解決しようとする課題】
本発明は、上記従来技術の状況に鑑みてなされたものであり、強度及び耐汚染性に優れ、さらに作業性に優れた障子紙を提供することを目的とする。
【０００４】
【課題を解決するための手段】
本発明者らは、上記課題を解決するために鋭意検討を行った結果、紙基材の両面に接着剤層を介して延伸樹脂フィルムを積層することにより、上記課題を解決することができることを見い出し、この知見に基づいて本発明を完成するに至った。
【０００５】
すなわち、本発明は、紙基材の両面に接着剤層が設けられ、該両面の接着剤層のそれぞれの表面に延伸樹脂フィルムが積層されていることを特徴とする障子紙を提供するものである。
また、本発明は、上記障子紙において、延伸樹脂フィルムが二軸延伸ポリプロピレンフィルムである障子紙を提供するものである。
また、本発明は、上記障子紙において、接着剤層がポリエステル系接着剤から成る障子紙を提供するものである。
以下、本発明を詳細に説明する。
【０００６】
【発明の実施の形態】
本発明を図１に基づいて説明する。
本発明において、紙基材１としては、例えば、和紙、上質紙、コート紙、グラシン紙等の各種紙材が挙げられる。
紙基材１の表面は、模様が施されていてもよい。模様としては、雲竜、麻入、簀の目などの障子紙に通常使用されている種々の模様や、文字、記号、線、図形、絵、写真又はこれらの２種以上の組合せなどが挙げられる。紙基材１及び模様は、着色されていてもよい。
紙基材１の模様は、紙基材１の抄紙時に施してもよいし、印刷などにより施してもよい。
紙基材１の厚みは、障子紙に利用できる範囲であれば特に制限ないが、２０〜２５０μｍが好ましく、４０〜１５０μｍが特に好ましい。
【０００７】
本発明の障子紙においては、紙基材１の両面に接着剤層２が設けられている。接着剤層２を構成する接着剤としては、紙基材１と延伸樹脂フィルム３を接着できるものであれば特に制限ないが、ポリエステル系接着剤が好ましい。
また、接着剤層２には、他の添加剤の１種以上を含有させることができる。添加剤としては、たとえば、酸化防止剤、紫外線吸収剤などが挙げられる。酸化防止剤としては、アニリド系、フェノール系、ホスファイト系、チオエステル系などが挙げられる。紫外線吸収剤としては、ベンゾフェノン系、ベンゾトリアゾール系などが挙げられる。
接着剤層２は、上記各成分を混合し、必要に応じて希釈剤などを追加混合して適当な粘度に調整した接着剤を塗布することにより形成することができる。
【０００８】
本発明の障子紙においては、紙基材１の両面に設けられている接着剤層２には延伸樹脂フィルム３が積層されている。
延伸樹脂フィルム３としては、ポリエチレン樹脂、ポリメチルペンテン樹脂、ポリプロピレン樹脂などのポリオレフィン樹脂、ポリブチレンテレフタレート樹脂、ポリエチレンテレフタレート樹脂などのポリエステル樹脂、アセテート樹脂、ＡＢＳ樹脂、ポリスチレン樹脂、塩化ビニル樹脂などの樹脂の延伸フイルム、延伸シートなどが挙げられる。これらの内、ポリオレフィン樹脂、特にポリプロピレン樹脂の延伸フィルム、延伸シートが好ましい。延伸樹脂フィルム３は、１層のみで構成されていてもよいし、２層以上の多層構造でもよい。
また、延伸樹脂フィルム３は、一軸方向に延伸された樹脂フィルムであってもよいし、二軸方向に延伸された樹脂フィルムであってもよいが、二軸方向に延伸された樹脂フィルムが好ましい。延伸樹脂フィルム３の延伸倍率は、縦方向が２〜１０倍が好ましく、３〜８倍がより好ましく、４〜６倍が特に好ましく、横方向が５〜１５倍が好ましく、７〜１３倍がより好ましく、９〜１１倍が特に好ましい。
【０００９】
延伸樹脂フィルム３の表面は、接着性を向上させるために、アンカー処理、コロナ放電処理などの表面処理を施すことが好ましい。
延伸樹脂フィルム３の厚みは、特に制限ないが、通常１０〜５０μｍが好ましく、１５〜３０μｍが特に好ましい。厚さが１０μｍ未満では破れ易くなる恐れがあり、一方厚さが５０μｍを超えると障子紙をロール状に巻いた際巻きグセがつき、障子枠に貼り付けても一端部が反り返って、貼り付けが困難となる恐れがある。
延伸樹脂フィルム３は、着色されていてもよいし、透明のものでもよいが、紙基材１の風合いを持たせるためには、透明のものが好ましい。
延伸樹脂フィルム３の表面又は裏面には、印刷、印字などを施してもよい。
【００１０】
本発明の障子紙を作成する方法は、種々の方法が挙げられるが、例えば、紙基材１の表面に接着剤を塗布し、接着剤層２を紙基材１の表面に設け、その接着剤層２の表面に延伸樹脂フィルム３を積層する方法や、延伸樹脂フィルム３の表面に接着剤を塗布し、接着剤層２を形成し、その接着剤層２の表面を紙基材１の表面に貼り合わせる方法などが挙げられる。接着剤層２を紙基材１の両面に設けるには、上記操作を紙基材１の表面と裏面に順次施すことにより、又は紙基材１の表面と裏面に同時に施すことにより、行うことができる。塗布は、ロールコーター、ロールナイフコーター、プレードコーター、グラビヤコーター、ダイコーター、リバースコーター、マイヤーバーなどにより、行うことができる。
本発明の障子紙は、平紙を積層した状態で保存してもよいし、ロール状に巻きとって保存してもよい。
本発明の障子紙を障子枠に貼り付ける方法は、障子枠の桟に両面粘着テープを貼り付け、その上に本発明の障子紙を圧着させて、障子紙を貼り付け、必要に応じて障子紙の余分の部分をカッターで切り揃える方法などが挙げられる。
両面粘着テープを用いて本発明の障子紙を障子枠に貼り付けるために糊剤を使用しないため、糊剤の塗布にかかる問題は生じず、さらに、紙基材１を延伸フィルムで挟みこんでいるため、貼り付け時、本発明の障子紙を引張っても殆ど伸びず皺を生じ難く、また、カッターで切り揃えても紙基材が毛羽立つことがなく、作業性に優れる。
【００１１】
【実施例】
次に、本発明を実施例によりさらに具体的に説明する。なお、本発明は、これらの例によって何ら制限されるものではない。
【００１２】
実施例１
二軸延伸ポリプロピレン樹脂フィルム（延伸倍率：縦方向５倍、横方向１０倍、厚み２０μｍ）の裏面に、ポリエステル系接着剤（大日本インキ（株）製、商品名「ディックドライＬＸ９０３Ｈ」、希釈剤（酢酸エチル）の含有割合４５質量％）を、乾燥後の接着剤層の厚みが１２μｍになるように塗布乾燥し、接着剤層を形成し、接着剤層付き二軸延伸ポリプロピレン樹脂フィルムの接着剤層の表面に、雲竜模様つき和紙（厚さ１１０μｍ、米秤量：８０ｇ／ｍ２）からなる紙基材を貼り合わせて、積層体を作製した。次に、別途、二軸延伸ポリプロピレン樹脂フィルムの裏面に、ポリエステル系接着剤（大日本インキ（株）製、商品名「ディックドライＬＸ９０３Ｈ」、希釈剤（酢酸エチル）の含有割合４５質量％）を、乾燥後の接着剤層の厚みが１２μｍになるように塗布乾燥し、接着剤層を形成し、該接着剤層の表面に前記積層体の紙基材を貼り合わせて、本発明の障子紙を得た。
試験例
実施例１で得た本発明の障子紙を障子枠に貼り付けた。障子紙は、予め、１ｍ×２ｍに切断し、直径４ｃｍの長さ１ｍのロール状に巻き、１日間放置した。障子枠及び桟に両面粘着テープを貼り付け、障子枠の一辺に本発明の障子紙を置き、障子紙を両面粘着テープに圧着しながら障子枠の対向する辺に向かって障子紙を広げ、障子紙を障子枠に貼り付けた。さらに、余分の障子紙をカッターで切り揃えた。
本発明の障子紙は、引張っても伸びないため皺にならず、貼り付けることができた。また、両面粘着テープを使用して貼り付けたので、糊剤による問題は生じなかった。さらに、カッターで切り揃えても紙基材が毛羽立つこともなく、障子紙の端部が反り返ることなく、綺麗に切り揃えることができた。よって、本発明の障子紙は、障子枠に貼り付ける作業に優れる。
次に、本発明の障子紙を貼り付けた障子枠の桟を、濡れた雑巾で拭いたところ、雑巾が障子紙に触れても、障子紙が破れることはなく、障子紙に汚れが付着せず、染み込みもなかった。
【００１３】
【発明の効果】
本発明の障子紙は、強度及び耐汚染性に優れ、さらに作業性に優れている。また、ロール状に巻き取った状態の障子紙を使用して、障子枠に貼り付けた場合にも、反りかえりが少なく、容易に貼り付けることができる。また、本発明の障子紙は、襖紙として利用できる。
【図面の簡単な説明】
【図１】本発明の障子紙の一実施例の断面図である。
【符号の説明】
１　紙基材
２　接着剤層
３　延伸樹脂フィルム
【図１】
2004114653.tif 000002